(57)【要約】【課題】物品の出し入れの容易性に優れた金属板製工具箱を提供する。【解決手段】工具箱は、上向き開口部３と前向き開口部４とを有する本体１と、これを覆う蓋２とで構成されている。蓋２は、本体１の上下後端に連結された上蓋１１と、上蓋１１の前端に連結された前蓋１２とからなっている。前蓋１２のみを開いて前向き開口部４から物品を出し入れすることも可能であるし、前蓋１２と上蓋１１との両方を回動させて、本体１を全開させることも可能である。全開状態で前蓋１２は上蓋１１の後ろに位置させることができるため、物品の出し入れに際して前蓋１２が邪魔になることはない。【選択図】図５
0003198705.tif 000002
【実用新案登録請求の範囲】
【請求項１】
直方体状でその上面と前面とに互いに連通した開口部が形成されている本体と、前記本体の開口部を塞ぐ蓋とを有しており、
前記蓋は、前記本体の上向き開口部を覆う上蓋と、前記本体の前向き開口部を覆う前蓋とから成っており、前記上蓋は、後ろ向きに跳ね上げ回動させ得るように前記本体の後端上部に連結されて、前記前蓋は、前記上蓋の上面に重なる方向に回動させ得るように前記上蓋の前端に連結されている、
工具箱。
【請求項２】
前記本体の前向き開口部は、前記本体の前面のうち下部を除いた上側の全体に形成されており、このため、前記本体には、前記前向き開口部の下方に位置した下部前壁が残っており、かつ、前記前蓋を閉じた状態で、当該前蓋と前記下部前壁とが略同一面を成している、
請求項１に記載した工具箱。
【請求項３】
前記上蓋の厚さよりも前蓋の厚さが小さくなっている、
請求項１又は２に記載した工具箱。
【請求項４】
前記本体及び蓋はスチール板又はステンレス板若しくは他の金属板製であり、
前記本体の左右側部を構成する左右側板は、その上端縁と前端縁とを内向きに折り曲げることによって厚みを持たせている一方、
前記上蓋は、その左右側縁と前縁とを下向きに折り曲げることによって厚みを持たせており、前記前蓋は、単なる平板であるか、又は、左右側縁と下縁とを後ろ側に曲げることによって厚みを持たせている、
請求項１〜３のうちのいずれかに記載した工具箱。
【請求項５】
前記本体の前向き開口部は、前記本体の前面のうち左右側部と下部とを除いて上向きに開口した状態に形成されており、前記前蓋を閉じた状態で、当該前蓋と本体の前面とが略同一面を成している、
請求項１に記載した工具箱。
【考案の詳細な説明】
【技術分野】
【０００１】
本願考案は、工具箱（道具箱）に関するものである。
【背景技術】
【０００２】
工具箱は上向きにのみ開口するものが多いが、これでは物品を出し入れしにくい場合がある。そこで、本体の前面にも開口部を形成して、上向き開口部と前向き開口部とを連通させた形態が提案されている。
【０００３】
その例として、例えば特許文献１には、本体に、上面の略前半分に上向き開口部を形成する一方、前面はその下部を除いて全体的に開口して、上向き開口部は後ろ向きに回動する上蓋で塞いで、前向き開口部は着脱式の前蓋で覆うことが開示されている。
【０００４】
また、特許文献２には、上向き開口部と前向き開口部とを１つの蓋で覆って、この蓋を、手前に開き回動させることが開示されている。逆に、特許文献３には、上向き開口部と前向き開口部とを１つの蓋で開閉するにおいて、蓋を、上向きに跳ね上げることで開き回動させることが開示されている。
【０００５】
更に、特許文献４には、本体を上向きに開口させると共に前後スライド式の引出しを設けて、上向き開口部は回動式の上蓋で覆うことが開示されている。
【先行技術文献】
【特許文献】
【０００６】
【特許文献１】意匠登録第１１７７６４１号公報
【特許文献２】意匠登録第０９２１５９４号公報
【特許文献３】実開昭６０−１３１３７８号のマイクロフィルム
【特許文献４】実開昭５７−０５８６５７号のマイクロフィルム
【考案の概要】
【考案が解決しようとする課題】
【０００７】
本体に上向き開口部と前向き開口部とを形成すると、物品の出し入れが容易になる。特に、特許文献３のように上向き開口部の全体を開口させると、物品の出し入れの容易性は一層向上する。
【０００８】
しかし、特許文献１のように前蓋を着脱式に構成すると、開閉操作が面倒であるのみならず、外した前蓋の扱いが面倒で、場合によっては、外した前蓋を紛失してしまうおそれもある。
【０００９】
他方、特許文献２，３のように１つの蓋で開閉すると、蓋の開閉操作の手間や紛失の問題はないが、特許文献２のように前開き方式では、蓋を開いた状態で、上向き開口部を覆う部分が上向きに立ち上がるため、これが物品の出し入れに際して邪魔になりやすいという問題がある。特に、本体の上面の全体を開口させると、上向き開口部を覆う部分の前後巾も大きくなるため、蓋を手前に開いた状態で上向き開口部を覆う部分が邪魔になる度合いは一層高くなる。
【００１０】
また、特許文献３においても、蓋を跳ね上げ回動させた状態で、蓋のうち前向き開口部を覆う部分が手前に張り出すため、これが物品の出し入れ等の邪魔になるおそれがある。特に、前向き開口部の上下深さが深くなると、蓋のうち前向き開口部を覆う部分の上下高さも高くなるため、開蓋状態において、前向き開口部を覆う部分が人の手に触れやすくなる度合いが増大する。
【００１１】
更に、特許文献４のように引出しを設けた場合、引き出しの前面は露出しているため、飛び出しを防止するためにはラッチ機構や錠などを蓋とは別に設ける必要があり、このため構造が複雑化することが懸念される。
【００１２】
本願考案はこのような現状に鑑み成されたものであり、使い勝手がよい改良された工具箱を提供することを目的とするものである。
【課題を解決するための手段】
【００１３】
本願考案は多くの構成を含んでおり、その例を各請求項で特定している。このうち請求項１の考案では、工具箱は、直方体状でその上面と前面とに互いに連通した開口部が形成されている本体と、前記本体の開口部を塞ぐ蓋とを有しており、前記蓋は、前記本体の上向き開口部を覆う上蓋と、前記本体の前向き開口部を覆う前蓋とから成っており、前記上蓋は、後ろ向きに跳ね上げ回動させ得るように前記本体の後端上部に連結されて、前記前蓋は、前記上蓋の上面に重なる方向に回動させ得るように前記上蓋の前端に連結されている。
【００１４】
請求項２の考案は請求項１を具体化したもので、この考案では、前記本体の前向き開口部は、前記本体の前面のうち下部を除いた上側の全体に形成されており、このため、前記本体には、前記前向き開口部の下方に位置した下部前壁が残っており、かつ、前記前蓋を閉じた状態で、当該前蓋と前記下部前壁とが略同一面を成している。
【００１５】
請求項３の考案は、請求項１又は２において、前記上蓋の厚さよりも前蓋の厚さが小さくなっている。
【００１６】
請求項４の考案は、請求項１〜３のうちのいずれかにおいて、前記本体及び蓋はスチール板又はステンレス板若しくは他の金属板製であり、前記本体の左右側部を構成する左右側板は、その上端縁と前端縁とを内向きに折り曲げることによって厚みを持たせている一方、前記上蓋は、その左右側縁と前縁とを下向きに折り曲げることによって厚みを持たせており、前記前蓋は、単なる平板であるか、又は、左右側縁と下縁とを後ろ側に曲げることによって厚みを持たせている。
【００１７】
請求項５の考案は請求項１を具体化したもので、前記本体の前向き開口部は、前記本体の前面のうち左右側部と下部とを除いて上向きに開口した状態に形成されており、前記前蓋を閉じた状態で、当該前蓋と本体の前面とが略同一面を成している。
【考案の効果】
【００１８】
本願考案では、蓋は上蓋と前蓋とから成っていて、前蓋は上蓋に回動自在に連結されているため、前蓋を上蓋に対して跳ね上げ回動させて更に上蓋を更に跳ね上げ回動させると、前蓋は上蓋の後ろに位置する。このため、前蓋が物品の出し入れの邪魔になることはない。つまり、本体は、上向き開口部の上方にも前向き開口部の前方にも蓋が存在しない状態に開口させることができるのであり、これにより、人の手や物品が蓋に当たることを防止して、使い勝手を格段に向上させることができる。
【００１９】
また、前向き開口部のみを開口させることも可能であるため、例えば、本体の内部に引出しユニットを設けた場合、前蓋のみを開くだけで引出しを使用することができて便利であると共に、前蓋によって引出しを飛び出し不能に保持できるため、引出しユニットを内蔵した場合であっても構造の複雑化を防止できる。
【００２０】
なお、本願考案では、前蓋と上蓋との相対姿勢は変えずに、上蓋のみを跳ね上げ回動させることも可能である。この場合は、前蓋を直立姿勢よりも少し後傾した姿勢に開いていると、前蓋は上蓋の状態から手前に向けて庇状に張り出す形態になるが、このような開き態様でも差し支えない場合は、前蓋を上蓋の後ろに回動させる必要はない。従って、前蓋を回動操作せずに、上蓋のみを回動させて本体を全開させることも可能である。この点も本願考案の特徴の一つである。
【００２１】
前向き開口部の態様は様々に選択できるが、請求項２の構成を採用すると、下部前板が存在することによって本体の堅牢性を確保できるし、南京錠式等の錠を取り付けることも簡単に実現できる。また、下部前板の上方の前向き開口部は左右全巾に亙って開口しているため、物品の出し入れが容易である。更に、閉蓋状態で前壁と下部前壁とが略同一面を成しているため、美観に優れている利点もある。
【００２２】
工具箱において、複数のものを上下に積み重ねたり、閉じた状態で工具箱の上に他の物品を載せたりすることが多い。従って、上蓋には閉じた状態で下向きの荷重が掛かることがある。このため、上蓋はある程の強度を確保しておくのが好ましい。他方、前向き開口部に下向きの荷重が掛かることはないため、蓋としての機能（変形防止や防盗性等の機能）を確保できる程度の強度で足りる。この点、請求項３の構成を採用すると、上蓋と前蓋とは必要とされる機能を確保しつつ必要最小限の厚さに設定できるため、材料の無駄や収容容積の低下を防止できる。
【００２３】
工具箱は樹脂製とすることも可能であるが、請求項４のように金属板製とすることにより、堅牢性に優れたものとすることができる。特に、大型の工具箱の場合に好適である。前蓋を単なる平板状に構成した場合は、それだけ構造が簡単になってコスト面でも有利であり、また、左右側縁と下縁とを後ろ側に曲げることによって厚みを持たせと、薄板製であっても高い強度を確保できる。
【００２４】
請求項５の構成を採用すると、本体の前面板は上向きに開口したコ字形を成しているため、本体の堅牢性が高くなる。また、本体の前面板にはその全高に亙って左右側部の残っているため、例えば、本体の内部にその間口寸法いっぱいの左右横長の物品を収納した場合、手前にこぼれない状態で積み重ねることができる利点がある（前向き開口部が存在するため、横長の物品の出し入れは容易である。）。
【図面の簡単な説明】
【００２５】
【図１】第１実施形態を全閉状態で手前から見た斜視図である。
【図２】第１実施形態を全閉状態で後ろから見た斜視図である。
【図３】第１実施形態の一部破断部分斜視図である。
【図４】（Ａ）は第１実施形態において前蓋のみを開いた状態での側断面図、（Ｂ）は全閉状態の部分的な側断面図である。
【図５】第１実施形態において、全開状態での側断面図である。
【図６】（Ａ）は第２実施形態の部分側断面図、（Ｂ）（Ｃ）は第２実施形態の変形例を示す図、（Ｄ）は第３実施形態を示す図である。
【図７】第４実施形態の側断面図である。
【考案を実施するための形態】
【００２６】
(1).第１実施形態
次に、本願考案をスチール板製の工具箱に適用した実施形態を、図面に基づいて説明する。まず、図１〜５に示す第１実施形態を説明する。
【００２７】
工具箱は本体１と蓋２とを有しており、本体１は、左右横長の直方体状の基本形態であって、上面の全体と前面のうち下部を除いた全体とが開口している。すなわち、互いに連通した上向き開口部３と前向き開口部４とを有している。従って、本体１は、左右側板５と底板６、背板７、下部前板８とを有している。下部前板８と側板５の下部とは、一体に連続している（接合されている。）。
【００２８】
例えば図３に示すように、左右側板５は、その上縁の全体と前縁とに内向きの折り曲げ片５ａ，５ｂを形成しており、このため、正面視及び平面視で厚みを持った状態になっている。折り曲げ片５ａ，５ｂを更に内側に曲げて全体としてコ字形に形成したり、中空角形に形成したりすることも可能である。
【００２９】
背板７も、その上端に内向き片７ａを形成することによって厚みを持たせた状態になっている。背板７における上端の内向き片７ａと側板５の上端の内向き片５ａとは、その端部において互いに突き合わさっており、全体として１枚板状に連続している。
【００３０】
下部前板８は底板６の前端から立ち上がっており、その上端には、本体１の収納空間に入り込んだ段部９を形成している。従って、左右側板５の前面の下部にも段部５ｃが形成されている。第１実施形態では、段部９の奥行き寸法は僅かになっており、奥部に上向き片９ａを突設している。
【００３１】
他方、蓋２は、本体１の上向き開口部３を覆う上蓋１１と、本体１の前向き開口部４を覆う前蓋１２との２つの部分から成っている。図３に明示するように、上蓋１１の四周には、下向き片１１ａとその先端に設けた水平片１１ｂとからなる折り曲げ部が形成されており、このため、上蓋１１は厚みを持っている。従って、上向き開口部３の外周部は断面コ字形になっているが、水平片１１ｂの先端に上向き片を形成して、外周部を中空角形に形成してもよい。
【００３２】
図２や図５に示すように、上蓋１１は、上向きに跳ね上げ回動させ得るように、その後端部が左右の後部ヒンジ１３で本体１の上部後端に連結されている。後部ヒンジ１３は、２枚のフラップがピンで相対回動自在に連結された構造であるが、これに代えて、軸心を左右姿勢にしたピンで連結してもよい。
【００３３】
また、上蓋１１における左右の下向き片１１ａの後端寄り部位に、側面視円弧状のストッパー１４をピンにて回動可能に連結している。一方、図３に示すように、側板５の上端に設けた水平片５ａの奥部にスリット１５を形成し、ストッパー１４をスリット１５に嵌め入れている。ストッパー１４の下端には、スリット１５の内周縁に下方から当接する鉤部１４ａが形成されており、これにより、上蓋１１は、鉛直姿勢よりも少し後傾した開き姿勢に保持される。もとより、上蓋１１は、本体１の背面と重なる姿勢まで開くことも可能である。
【００３４】
前蓋１２は単純な平板構造であり、上端部が左右の前部ヒンジ１６によって上蓋１１の前端部に連結されている。前蓋１２は、本体１及び上蓋１１の素材の板厚よりも厚い材料を使用しており、前体１の段部９ａ，５ｃに入り込んだ状態で、前蓋１２の前面と下部前板８の前面とが略同一面を成すように設定している。従って、本体１の段部９，５ｃの前後深さは、前蓋１２の板厚と略同じ程度に設定している。なお、前蓋１２についても、連結手段としては、前部ヒンジ１６に代えてピンなどを使用できる。
【００３５】
図１や図４に示すように、前蓋１１の左右中間部の下部には、上下長手のフック板１７が、その上端を中心にして回動するようにヒンジ１８にて連結されており、フック板１７の下部には、上下長手の角穴が形成されている。一方、本体１における下部前板８の左右中間部には、フック板１７が手前から嵌脱するリング１９が回転自在に連結されており、リング１９に南京錠（図示せず）を嵌め込んで施錠することにより、前蓋１２及び上蓋１１が閉じ状態にロックされる。また、本体１の左右外側面には把手２０を設けている。
【００３６】
(2).まとめ
以上の構成において、工具箱は、図４に示すように、前蓋１２のみをはね上げて前向き開口部４のみを開口させたり、図５に示すように、上蓋１１と前蓋１２との両方を開いて上向き開口部３と前向き開口部４との両方を開口させたりすることができる。小物を取り出す場合は、図４のように前蓋１２のみを開くことによって対応できる場合があろう。
【００３７】
前蓋１２のみを開いている場合は、前蓋１２は上蓋１１の上面に重なる姿勢に跳ね上げられているため、前蓋１２が物品の出し入れの邪魔になることは全くない。また、図４に示すように、実施形態では、施錠用のフック板１７の下端部（先端部）１７ａを、下に行くほど下部前板８から離れるように傾斜させているため、フック板１７の先端に指を掛けて引き起こし、これを摘んで手前に引くことにより、前蓋１２の開き動作をごく簡単に行える利点がある。
【００３８】
図５のように、前蓋１２を開き回動させると共に上蓋１１を開き回動させた全開状態では、前方から手を挿入したり上から手を挿入したりして、物品を本体１の内部に出し入れすることができる。このため、本体１が上にしか開口していない場合に比べて、物品の出し入れ作業を簡単に行える。そして、全開状態でも、前蓋１１は上蓋１２の後ろに位置しているため、前蓋１２が物品の出し入れの邪魔になることは全くない。
【００３９】
本体１の全体を開口させた状態で、前蓋１２が上蓋１１の上端から手前に張り出していても差し支えない場合は、前蓋１２と上蓋１１との相対姿勢は変えずに、上蓋１１のみを開き回動させたらよい。この場合は、開閉作業の手間を抑制できる。
【００４０】
実施形態のように本体１に下部前板８を残す構成を採用すると、本体１を高い強度に保持できる。また、本体１の底部に配置した物品が手前に転がり出ることも防止できる。更に、南京錠等の錠を取り付けるためのリング１９の取付けにも利用できる。フック１７を下部前板９に取付けて、リング１９を前蓋１２に取り付けることも可能である。更に、前蓋１２の下端部にシリンダ錠を取付けることも可能である。
【００４１】
(3).他の実施形態
次に、図６，７に示す他の実施形態を説明する。図６（Ａ）に示す第２実施形態では、前蓋１２は、その外周縁に後ろ向き片１２ａを曲げ形成することによって厚みを持たせている。この場合は、前蓋１２の強度は第１実施形態に比べて格段に高くなる。第１実施形態では、前蓋１２の厚さは当然に上蓋１１の厚さよりも小さいが、この第２実施形態でも、前蓋１２の厚さＴ１は、上蓋１１の厚さＴ２より小さくなっている。
【００４２】
前蓋１２における後ろ向き片１２ａの先端を更に折り曲げて、前蓋１２の外周部を断面コ字形に曲げ形成することも可能である。この場合は、リブ効果によって強度が更に高くなるだけでなく、人の指先が前蓋１２の外周部のエッジに触れることを抑制して安全性も向上する。図６（Ｂ）（Ｃ）に変形例として示すように、前蓋１２の外周部の折り曲げ部を、角形や三角形状のような中空形状に形成することも可能であり、この場合は、補強効果と安全性とが一層高くなる。図示していないが、円形にカーリングしてもよい。
【００４３】
図６（Ｄ）に示す第３実施形態では、本体１の前向き開口部４は、左右側部と下部とを除いて形成している。従って、本体１の前面には、左右の側部前板２１と下部前板８とが残っている。このため、本体１の強度は高くなっている。前蓋１２は、その外周部を内向きに折り曲げることによって厚みを持たせている。この実施形態では、前蓋１２の下端部（自由端部）にシリンダ錠２を取付けている。
【００４４】
図７に示す第４実施形態では、本体１の前面の全体が前向き開口部４になっている。そこで、底板６の外周部に下向きの足片６ａを形成して、前蓋１２の下端部が前足片６ａに重なるように設定している。                                                    
【００４５】
そして、本体１の内部のうち前側の部分に、枠材２３に引出しト２４が多段に装架された引出しユニット２５を固定的に又は着脱自在に配置し、引出しユニット２５の後ろに、１段又は複数段の棚ケース２６を有する棚ユニット２７を着脱自在に配置している。棚ユニット２７は、図示しない受け部材で本体１の内部に支持されており、棚ユニット２７の下方も収納空間になっている。
【００４６】
この実施形態では、前蓋１２を開くと引出しユニット２５が露出するため、任意の引出し２４を引き出して物品の出し入れを行える。また、前蓋１２を閉じると各引出し２４は前進不能に保持されるため、個々の引出し２４にラッチ手段やロック手段を設けることは不要であり、それだけ構造が簡単になる。上蓋１１を開くと、棚ユニット２７に収納した物品や、棚ユニット２７の下方に収納した物品も取り出すことができる。前蓋１２には、シリンダ錠等の錠を設けることが可能である。
【００４７】
以上、本願考案の実施形態を説明したが、本願考案は、図示した形態の他にも様々に具体化できる。例えば、本体１の下半分に、本体の奥行き寸法に近い前後深さの引出しを１段又は複数段設けて、引出しの上方の部分を上向き開口の収納部にするといったことも可能である。
【産業上の利用可能性】
【００４８】
本願考案は、工具箱に具体化できる。従って、産業上利用できる。
【符号の説明】
【００４９】
１  本体
２  蓋
３  上向き開口部
４  前向き開口部
５  側板
５ａ，５ｂ  折り曲げ片（折り曲げ部）
７  背板
８  下部前板
９，５ｃ  段部
１１  上蓋
１１ａ  下向き片（折り曲げ部）
１１ｂ  水平片（折り曲げ部）
１２  前蓋
１２ａ  後ろ向き片（折り曲げ部）
【図１】
0003198705.tif 000003
【図２】
0003198705.tif 000004
【図３】
0003198705.tif 000005
【図４】
0003198705.tif 000006
【図５】
0003198705.tif 000007
【図６】
0003198705.tif 000008
【図７】
0003198705.tif 000009